(57)【要約】【課題】本発明は、光ファイバの余長を適切に処理し、噛み込みや電子部品との接触を発生させず、基板の組立検査も容易に行うことができる光通信装置を提供することを目的とする。【解決手段】通信回路１１が実装された基板１０と、  該基板１０に一端が接続され、他端に外部接続用のコネクタ４０が設けられた内部接続用の光ファイバ３０と、  該光ファイバ３０の余長を収容する余長収容部２１と、前記コネクタ４０を保持するコネクタ保持部２６と、前記基板１０に装着するための装着手段２７、２８とを有し、前記基板１０に装着されて前記基板１０と一体となった状態で前記光ファイバ３０の余長を収容するインナーシャーシ２０と、  該インナーシャーシ２０を収容するケース６０、８０と、を有することを特徴とする。【選択図】図３
2012198365.tif 000002
【特許請求の範囲】
【請求項１】
通信回路が実装された基板と、
該基板に一端が接続され、他端に外部接続用のコネクタが設けられた内部接続用の光ファイバと、
該光ファイバの余長を収容する余長収容部と、前記コネクタを保持するコネクタ保持部と、前記基板に装着するための装着手段とを有し、前記基板に装着されて前記基板と一体となった状態で前記光ファイバの余長を収容するインナーシャーシと、
該インナーシャーシを収容するケースと、を有することを特徴とする光通信装置。
【請求項２】
前記余長収容部は、前記光ファイバの余長を巻回する筒状の巻回部と、該巻回部に巻回された状態の前記光ファイバの経路を部分的に上から覆い、前記光ファイバが前記経路から外れるのを防止するファイバ抑え部とを更に有することを特徴とする請求項１に記載の光通信装置。
【請求項３】
前記コネクタ保持部に最も近くに配置された前記ファイル抑え部は、前記光ファイバの側面も覆う形状を有することを特徴とする請求項２に記載の光通信装置。
【請求項４】
前記余長保持部及び前記コネクタ保持部と、前記装着手段は、互いに前記インナーシャーシの反対面に設けられたことを特徴とする請求項１乃至３のいずれか一項に記載の光通信装置。
【請求項５】
前記インナーシャーシは、前記基板に接続された部品を収容する接続部品収容部を有することを特徴とする請求項１乃至４のいずれか一項に記載の光通信装置。
【請求項６】
前記インナーシャーシを取り付け固定するインナーシャーシ固定手段と、前記ケースの外部から前記コネクタに接続される回線用の光ファイバの余長を収容する回線余長収容部とを備え、前記ケースに収容可能なシャーシを更に有することを特徴とする請求項１乃至５のいずれか一項に記載の光通信装置。
【請求項７】
前記シャーシは、前記インナーシャーシを、前記コネクタ保持部側から覆うように固定することを特徴とする請求項６に記載の光通信装置。
【請求項８】
前記シャーシは、前記ケースに固定されたことを特徴とする請求項６又は７に記載の光通信装置。
【発明の詳細な説明】
【技術分野】
【０００１】
本発明は、光通信装置に関し、特に、通信回路が実装された基板に一端が接続され、他端に外部接続用のコネクタが接続された内部接続用の光ファイバを有する光通信装置に関する。
【背景技術】
【０００２】
従来から、光ファイバ回線に接続し、光ファイバから送られてきた信号を受信し、電気信号に変換する光回線終端装置等の光通信装置が知られている。かかる光通信装置においては、通信回路を搭載した基板をケース内に収容するとともに、基板に接続された光ファイバの先端にコネクタを設け、回線用の外部の光ファイバを引き込んでコネクタに接続することにより、光ファイバ回線への接続を行っている。この場合、コネクタを保持するためのシャーシを用意し、コネクタを保持したシャーシをケース内に組み込んで、外部の光ファイバ回線との接続を行うようにしている。
【０００３】
また、トレイの容量を変更できるように、光ケーブルを接続する融着部を配置した第一のトレイと、余長を収納する余長収納部を配置した第二のトレイと、光アダプタを配置した第三のトレイとから構成され、第一のトレイの内側側面には複数の凸片を設け、第二のトレインと第三のトレイの側面から底面にかけて、第一のトレイの凸片に嵌合可能である凹部を有する嵌合部を形成した余長収納構造が知られている（例えば、特許文献１参照）。
【先行技術文献】
【特許文献】
【０００４】
【特許文献１】特開２００８−５８８５４号公報
【発明の概要】
【発明が解決しようとする課題】
【０００５】
しかしながら、上述の従来の光通信装置においては、シャーシをケース内に組み込む際、光ファイバの余長を処理する必要があり、作業が面倒かつ複雑であるという問題があった。
【０００６】
図１１は、従来の光通信装置におけるシャーシの組み込み作業を説明するための図である。図１１（Ａ）は、シャーシを配置した状態を示した図である。図１１（Ａ）において、基板１１０がケース１６０に収容され、ケースの横にシャーシ１２０が並んで配置されている。シャーシには、基板１１０に接続された光ファイバ１３０の先端のコネクタ１４０が保持されている。光ファイバ１３０の余長は、シャーシ１２０の内側部分に巻回されて収容されている。
【０００７】
図１１（Ｂ）は、シャーシ１２０をケース１６０に組み込もうとしている状態が示されている。図１１（Ｂ）において、シャーシ１２０がケース１６０に接近したことにより、光ファイバ１３０にたるみが生じ、更に余長が発生するため、この余長を処理する必要がある。
【０００８】
図１１（Ｃ）は、シャーシ１２０をケース１６０に組み込んだ際に、光ファイバ１３０の噛み込みが生じた例を示した図である。このように、従来の光通信装置においては、シャーシ１２０をケース１６０に組み込む際、光ファイバ１３０の余長を処理する必要があるとともに、余長の処理が適切に行われなかった場合には、光ファイバ１３０の噛み込みや電子部品との接触を生じてしまうという問題があった。
【０００９】
また、基板組立時の検査は、各種端子の接点を確保するために基板の裏面を露出した状態で検査を行う必要がある。ところが、シャーシ１２０をケース１６０に組み込むときには、基板１１０がケース１６０に既に組み込まれた状態であるので、基板１１０の検査は、ケース１６０に組み込む前に行う必要がある。その場合には、シャーシ１２０の無い状態で検査を行うことになり、光ファイバ１３０が固定されないので、光ファイバ１３０が邪魔となり、基板組立状態での検査が困難であるという問題もあった。
【００１０】
また、特許文献１に記載の構成では、余長の収容スペースは確保できるものの、余長の処理の必要性や、余長の噛み込みのおそれはやはり残ってしまうという問題があった。
【００１１】
そこで、本発明は、光ファイバの余長を適切に処理し、噛み込みや電子部品との接触を発生させず、基板の組立検査も容易に行うことができる光通信装置を提供することを目的とする。
【課題を解決するための手段】
【００１２】
上記目的を達成するため、本発明の一態様に係る光通信装置は、通信回路（１１）が実装された基板（１０）と、
該基板（１０）に一端が接続され、他端に外部接続用のコネクタ（４０）が設けられた内部接続用の光ファイバ（３０）と、
該光ファイバ（３０）の余長を収容する余長収容部（２１）と、前記コネクタ（４０）を保持するコネクタ保持部（２６）と、前記基板（１０）に装着するための装着手段（２７、２８）とを有し、前記基板（１０）に装着されて前記基板（１０）と一体となった状態で前記光ファイバ（３０）の余長を収容するインナーシャーシ（２０）と、
該インナーシャーシ（２０）を収容するケース（６０、８０）と、を有することを特徴とする。
【００１３】
また、前記余長収容部（２１）は、前記光ファイバ（３０）の余長を巻回する筒状の巻回部（２２）と、該巻回部（２２）に巻回された状態の前記光ファイバ（３０）の経路を部分的に上から覆い、前記光ファイバ（３０）が前記経路から外れるのを防止するファイバ抑え部（２３、２４、２５）とを更に有してもよい。
【００１４】
また、前記コネクタ保持部（２６）の最も近くに配置された前記ファイバ抑え部（２５）は、前記光ファイバ（３０）の側面も覆う形状を有してもよい。
【００１５】
また、前記余長保持部（２１）及び前記コネクタ保持部（２６）と、前記装着手段（２７、２８）は、互いに前記インナーシャーシ（２０）の反対面に設けられてもよい。
【００１６】
また、前記インナーシャーシ（２０）は、前記基板（１０）に接続された部品（１２）を収容する接続部品収容部（２９）を有してもよい。
【００１７】
また、前記インナーシャーシ（２０）を取り付け固定するインナーシャーシ固定手段（５５）と、前記ケース（６０、８０）の外部から前記コネクタ（４０）に接続される回線用の光ファイバの余長を収容する回線余長収容部（５１）とを備え、前記ケース（６０、８０）（５０）に収容可能なシャーシを更に有してもよい。
【００１８】
また、前記シャーシ（５０）は、前記インナーシャーシ（２０）を、前記コネクタ保持部（２６）側から覆うように固定してもよい。
【００１９】
また、前記シャーシ（５０）は、前記ケース（６０、８０）に固定されてもよい。
【００２０】
なお、上記括弧内の参照符号は、理解を容易にするために付したものであり、一例に過ぎず、図示の態様に限定されるものではない。
【発明の効果】
【００２１】
本発明によれば、光ファイバの余長処理を容易かつ確実に行うことができ、光ファイバを固定して噛み込みを防止することができる。
【図面の簡単な説明】
【００２２】
【図１】本発明の実施例に係る光通信装置の外形の一例を示した図である。
【図２】本実施例に係る光通信装置の内部に収容されたシャーシの一例を示した図である。
【図３】本実施例に係る光通信装置の内部に収容されたインナーシャーシの一例を示した図である。
【図４】本実施例に係る光通信装置のインナーシャーシとシャーシの関係を示した図である。図４（Ａ）は、シャーシの一例を示した斜視図である。図４（Ｂ）は、インナーシャーシの一例を示した斜視図である。図４（Ｃ）は、シャーシにインナーシャーシを取り付けた状態を透過的に示した図である。
【図５】本実施例に係る光通信装置の構成を種々の角度から示した斜視図である。図５（Ａ）は、本実施例に係る光通信装置のインナーシャーシの表面側の構成を示した斜視図である。図５（Ｂ）は、本実施例に係る光通信装置のインナーシャーシの裏面側の構成を示した図である。図５（Ｃ）は、本実施例に係る光通信装置のインナーシャーシを基板に装着した状態を表面側から示した図である。図５（Ｄ）は、本実施例に係る光通信装置のインナーシャーシを基板に装着した状態を裏面側から示した図である。
【図６】本実施例に係る光通信装置のインナーシャーシのコネクタ保持部付近のファイバ抑え部の構成を示した図である。図６（Ａ）は、インナーシャーシが基板に装着されていない状態のコネクタ保持部付近のファイバ抑え部の構成を示した斜視図である。図６（Ｂ）は、インナーシャーシが基板に装着されている状態のコネクタ保持部付近のファイバ抑え部の構成を示した斜視図である。
【図７】本実施例に係る光通信装置のシャーシの一例を示した斜視図である。図７（Ａ）は、シャーシの表面側の構成を示した斜視図である。図７（Ｂ）は、シャーシの裏面側の構成を示した斜視図である。
【図８】インナーシャーシがシャーシの内部に固定支持された状態を示した図である。図８（Ａ）は、インナーシャーシを固定支持したシャーシの裏面側を示した斜視図であり、図８（Ｂ）は、インナーシャーシを固定支持したシャーシの表面側を示した斜視図である。
【図９】本実施例に係る光通信装置の上ケース側からの外部構成及び内部構成を示した図である。図９（Ａ）は、本実施例に係る光通信装置の上ケース側からの外部構成を示した図である。図９（Ｂ）は、本実施例に係る光通信装置の上ケース側からの内部構成を示した分解斜視図である。
【図１０】本実施例に係る光通信装置の下ケース側からの外部構成及び内部構成を示した図である。図１０（Ａ）は、本実施例に係る光通信装置の下ケース側からの外部構成を示した図である。図１０（Ｂ）は、本実施例に係る光通信装置の下ケース側からの内部構成を示した分解斜視図である。
【図１１】従来の光通信装置におけるシャーシの組み込み作業の説明図である。図１１（Ａ）は、シャーシを配置した状態を示した図である。図１１（Ｂ）は、シャーシをケースに組み込もうとしている状態を示した図である。図１１（Ｃ）は、シャーシをケースに組み込んだ際に光ファイバの噛み込みが生じた例を示した図である。
【発明を実施するための形態】
【００２３】
以下、図面を参照して、本発明を実施するための形態の説明を行う。
【００２４】
図１は、本発明の実施例に係る光通信装置の外形の一例を示した図である。図１において、本実施例に係る光通信装置は、上ケース６０と下ケース８０とを備え、その内部に通信回路が実装された基板を収容する構成を有する。本実施例に係る光通信装置は、光ファイバを用いた種々の光通信装置に構成することができるが、例えば、光回線終端装置として構成されてもよい。なお、光回線終端装置は、光通信ネットワークの終端に設置され、光信号と電気信号間の変換と光信号の多重・分離を行う装置である。
【００２５】
図２は、本実施例に係る光通信装置の内部に収容されたシャーシの一例を示した図である。図２において、本実施例に係る光通信装置は、その内部にシャーシ５０を内蔵していることが示されている。
【００２６】
図３は、本実施例に係る光通信装置の内部に収容されたインナーシャーシの一例を示した図である。本実施例に係る光通信装置は、上ケース６０と下ケース８０とがなす空間の内部にインナーシャーシ２０を内蔵しており、図３においてインナーシャーシ２０の一例が示されている。インナーシャーシ２０は、図２に示したシャーシ５０の内部に内蔵されている部品であり、本実施例に係る光通信装置は、二重シャーシ構造を有する。
【００２７】
インナーシャーシ２０は、基板１０に装着され、基板１０と一体となった状態で光ファイバ３０を余長処理する余長処理手段である。基板１０は、トランシーバ等の通信回路１１を実装している。光ファイバ３０は、基板１０に一端が接続され、他端にはコネクタが設けられている。インナーシャーシ２０は、基板１０に装着固定された状態で、基板１０に接続された光ファイバ３０を収容し、コネクタ４０を保持する。つまり、基板１０と一体となった状態で、光ファイバ３０及びコネクタ４０を収容固定する。
【００２８】
図４は、本実施例に係る光通信装置のインナーシャーシとシャーシの関係を示した図である。図４（Ａ）は、シャーシ５０の一例を示した斜視図である。図４（Ａ）に示すように、シャーシ５０は巻回部５２を含む余長収容部５１を備える。余長収容部５１は、回線側の外部の光ファイバを巻回部５２に巻回して余長処理し、収容するための光ファイバ収容手段である。よって、本実施例に係る光通信装置を光回線のネットワークに接続する際には、巻回部５２に回線側の光ファイバ３０を巻回させて余長処理を行う。なお、外部の光ファイバ３０は、巻回部５２に接触するように巻き付けて余長処理を行ってもよいし、巻回部５２の周囲に、巻回部５２と間隔を有して緩やかに巻回させ、余長収容部５１に収容するようにしてもよい。
【００２９】
図４（Ｂ）は、インナーシャーシ２０の一例を示した斜視図である。図３において説明したように、インナーシャーシ２０は、巻回部２２を含む余長処理部２１を備え、基板１０に装着された状態で、基板１０に一端が接続された内部接続用の光ファイバ３０の余長処理を行う。
【００３０】
図４（Ｃ）は、シャーシ５０にインナーシャーシ２０を取り付けた状態を透過的に示した図である。図４（Ｃ）において、インナーシャーシ２０の上に、シャーシ５０が覆い被さるようにして組み付けられ、シャーシ５０内にインナーシャーシ２０が内蔵された状態となっている。つまり、インナーシャーシ２０をシャーシ５０に組み付ける際には、光ファイバ３０の余長処理は不要であり、光ファイバ３０及びコネクタ４０は、インナーシャーシ２０に固定された状態でシャーシ５０への組み付けを行うことができる。
【００３１】
つまり、インナーシャーシ２０を基板１０に装着固定する際に光ファイバ３０の余長処理を行うことにより、その後のシャーシ５０への組み付けの際には、余長処理が一切不要な構成となっている。これにより、光ファイバ３０の余長処理を容易かつ確実に行うことができるとともに、光ファイバ３０の噛み込みを防止できる。また、基板１０の裏面を露出させた状態で光ファイバ３０を固定することができるので、光ファイバ３０が邪魔になることなく、種々の検査等を容易に行うことができる。
【００３２】
次に、図５を用いて、本実施例に係る光通信装置のインナーシャーシ２０の構成について、より詳細に説明する。図５は、本実施例に係る光通信装置の構成を種々の角度から示した斜視図である。
【００３３】
図５（Ａ）は、本実施例に係る光通信装置のインナーシャーシの表面側の構成を示した斜視図である。なお、図５（Ａ）において、基板１０に装着されておらず、従って、光ファイバ３０及びコネクタ４０も存在しない状態のインナーシャーシ２０の単体の構成が示されている。
【００３４】
図５（Ａ）において、インナーシャーシ２０は、余長収容部２１と、コネクタ保持部２６とを有する。余長収容部２１は、光ファイバ３０の余長を収容するための収容スペースであり、光ファイバ３０を引き回して収容するような経路を有して構成される。また、余長収容部２１は、巻回部２２と、ファイバ抑え部２３、２４とを有する。
【００３５】
巻回部２２は、光ファイバ３０の余長を巻き回して収容するための巻き付け構造であり、筒状の形状をしている。巻回部２２は、光ファイバ３０を巻き付けて余長部分を処理できればよく、光ファイバ３０を巻き回すことが可能な形状であれば、円筒状、楕円状又はそれ以外の形状であってもよい。
【００３６】
ファイバ抑え部２３、２４は、光ファイバ３０が巻回部２２を含む引き回し経路から鉛直方向外側に外れないようにするための規制手段であり、引き回し経路を部分的に上から覆うような形状となっている。ファイバ抑え部２３は、巻回部２２の上部から外側に水平に延びており、巻回部２２に巻き付けられた光ファイバ３０が上側に外れるのを防止する。一方、ファイバ抑え部２４は、巻回部２２以外の光ファイバ３０の引き回し経路に設けられた規制手段であり、やはり光ファイバ３０の引き回し経路を覆うように、経路の壁の上部から水平に延びた形状となっている。かかるファイバ抑え部２３、２４により、光ファイバ３０は、巻回部２２に巻回された状態を確実に保つことができる。
【００３７】
コネクタ保持部２６は、光ファイバ３０の先端に設けられたコネクタ４０を保持するためのスペースである。コネクタ保持部２６は、コネクタ４０を嵌合又は挟持等により固定して保持できる形状に構成されていれば、種々の構成とすることができる。
【００３８】
図５（Ｂ）は、本実施例に係る光通信装置のインナーシャーシの裏面側の構成を示した図である。図５（Ｂ）において、インナーシャーシ２０の裏面側には、基板１０にインナーシャーシ２０を装着固定するための装着手段２７、２８が設けられている。装着手段２７は、基板１０との距離を一定に保つスペーサとして構成される。また、装着手段２８は、スペーサである装着手段２７の反対側から、基板１０を引っ掛けるようにして基板１０に装着固定する爪として構成される。装着手段２７は、平板形状を有し、装着手段２８は、先端が楔形の形状を有する。かかる装着手段２７、２８により、基板１０にインナーシャーシ２０を装着固定することができ、基板１０と一体となって光ファイバ３０と密着した状態で余長処理を行うことが可能となる。
【００３９】
なお、装着手段２７、２８は、基板１０を固定支持する基板固定手段と捉えてもよい。基板１０にインナーシャーシ２０が装着された状態は、インナーシャーシ２０側から見れば、基板１０を固定支持している状態であるので、装着手段２７、２８を基板固定手段と捉えることもできる。つまり、装着手段２７、２８は、基板１０とインナーシャーシ２０とが密着固定して一体となった状態を作ることができればよい。
【００４０】
また、図５（Ｂ）において、インナーシャーシ２０には、遮光リブ２９が設けられている。遮光リブ２９は、光通信装置に信号入出力状態を表示するインジケータを設ける場合に、表示光源を収容するとともに、隣接する表示光源の光が横方向に混合しないように遮光するリブであり、必要に応じて設けられる。本実施例に係る光通信装置のインナーシャーシ２０は、基板１０に直接装着されて用いられるため、光ファイバ３０の余長のみならず、基板１０に接続された表示光源を収容することも可能である。よって、インナーシャーシ２０は、必要に応じて、表示光源を収容する遮光リブ２９を備えるように構成されてもよい。遮光リブ２９に収容される表示光源は、例えば、発光ダイオードが用いられてもよい。また、遮光リブ２９が設けられる場合には、インナーシャーシ２０と一体的に形成されてよい。
【００４１】
なお、図５（Ｂ）においては、基板１０に接続された複数の発光ダイオード１２を収容するとともに、発光ダイオード１２同士の横方向の光を遮光する手段として、遮光リブ２９を設けた例を説明した。しかしながら、インナーシャーシ２０には、その他の基板１０に接続された種々の部品を収容する手段を設けるようにしてもよい。つまり、本実施例に係る光通信装置のインナーシャーシ２０は、必要に応じて、基板１０に接続された部品を収容して保持する基板接続部品収容部を備えて構成されてもよい。これにより、基板１０に接続された部品や配線も一体的に保持することができ、基板１０のケース６０、８０内への収容を容易にすることができる。
【００４２】
図５（Ｃ）は、本実施例に係る光通信装置のインナーシャーシを基板に装着した状態を表面側から示した図である。図５（Ｃ）において、インナーシャーシ２０が基板１０に装着固定され、光ファイバ３０が余長収容部２１に収容されて余長処理が行われている。また、ファイバ抑え部２３、２４は、光ファイバ３０が引き回し経路の外側に外れることを、上方から部分的に覆うようにして防止している。また、コネクタ４０は、コネクタ保持部２６に保持されている。なお、基板１０には、トランシーバ等の通信回路１１が実装されている。
【００４３】
図５（Ｄ）は、本実施例に係る光通信装置のインナーシャーシを基板に装着した状態を裏面側から示した図である。図５（Ｄ）において、基板１０の裏面側が示されるとともに、基板１０の裏面に装着手段２８の爪が引っ掛かっており、基板１０にインナーシャーシ２０が装着固定されていることが示されている。また、遮光リブ２９の各リブ間の空間には、基板１０に接続された複数の発光ダイオード１２が各々収容され、発光ダイオード１２が保持されるとともに、隣接する発光ダイオード１２同士の光が混合しない状態となっている。
【００４４】
このように、本実施例に係る光通信装置のインナーシャーシ２０は、基板１０に装着され、基板１０と一体となった状態で光ファイバ３０の余長を収容する構成を有し、光ファイバ３０の余長を確実に収容処理することができる。
【００４５】
また、インナーシャーシ２０は、基板１０の裏面を露出したまま光ファイバ３０の余長処理を行い、コネクタ４０を固定保持することができるので、図５（Ｃ）、（Ｄ）に示した状態で基板１０の検査を行うことができ、極めて容易に基板１０の組立検査を行うことができる。
【００４６】
図６は、本実施例に係る光通信装置のインナーシャーシのコネクタ保持部付近のファイバ抑え部の構成を示した図である。図６（Ａ）は、基板１０に装着固定されていない状態のインナーシャーシ２０のコネクタ保持部２６付近のファイバ抑え部２５の構成を示した斜視図である。図６（Ａ）において、インナーシャーシ２０がコネクタ保持部２６側から示されているが、余長収容部２１のコネクタ保持部２６の最も近くに配置されたファイバ抑え部２５は、上から光ファイバ３０を覆うだけでなく、側面からも光ファイバ３０を覆うような構成を有している。つまり、光ファイバ３０を部分的に上から覆う上面だけでなく、光ファイバ３０を部分的に横から覆う側面を有した形状となっている。これは、コネクタ保持部２６付近の光ファイバ３０は、他の箇所にも増してインナーシャーシ２０から外れることなく確実に収容することが好ましいからであり、光ファイバ３０を確実に保持すべく、２面から光ファイバ３０を覆う構成となっている。
【００４７】
図６（Ｂ）は、インナーシャーシ２０が基板１０に装着固定されている状態のコネクタ保持部２６付近のファイバ抑え部２５の構成を示した斜視図である。図６（Ｂ）において、インナーシャーシ２０が基板１０に装着固定され、光ファイバ３０が余長収容部２１に収容されているとともに、コネクタ４０がコネクタ保持部２６に保持されているが、コネクタ保持部２６に最も近いファイバ抑え部２５は、光ファイバ３０を上面と側面の２面から覆うことにより、光ファイバ３０が余長収容部２１からはみ出さないように、確実に光ファイバ３０を収容している。
【００４８】
このように、本実施例に係る光通信装置のインナーシャーシ２０においては、コネクタ保持部２６近傍のファイバ抑え部２５を、上面だけでなく側面も有する２面庇形状としたため、コネクタ４０近傍の光ファイバ３０の余長を確実に余長収容部２１内に収容することができる。
【００４９】
なお、本実施例においては、コネクタ保持部２６に最も近いファイバ抑え部２５のみを２面形状とする例を挙げて説明したが、必要に応じて、コネクタ保持部２６近傍の複数のファイバ抑え部２５を２面形状に構成してもよい。
【００５０】
図７は、本実施例に係る光通信装置のシャーシの一例を示した斜視図である。図７（Ａ）は、シャーシ５０の表面側の構成を示した斜視図である。図７（Ａ）において、シャーシ５０は、回線余長収容部５１を備える。また、回線余長収容部５１は、巻回部５２と、ファイバ抑え部５３、５４を備える。
【００５１】
シャーシ５０は、外部の回線の光ファイバを引き込み、ケース６０、８０内のコネクタ４０に接続する作業を行う際、回線用の光ファイバの余長を収容して余長処理するとともに、基板１０に装着されたインナーシャーシ２０を固定支持する手段である。
【００５２】
回線余長収容部５１は、回線用の外部から引き込んだ光ファイバの余長を収容するスペースである。回線余長収容部５１は、巻回部５２を備え、回線用の外部からの光ファイバを巻き付けて余長処理できる構成となっている。また、回線余長収容部５１は、巻回部５２から水平に延び、巻回部５２に巻回された光ファイバが外側に外れるのを防止するファイバ抑え部５３と、回線余長収容部５１の外側の壁から内側に水平に延び、外側にある光ファイバが外れるのを防止するファイバ抑え部５４とを有する。
【００５３】
回線用の光ファイバのコネクタ４０への接続作業は、一般に、業者の作業員が行う。その際、回線用の光ファイバの余長を、巻回部５２に巻き付けるように余長処理するか、単に回線余長収容部５１内に入れ込んで余長処理するかは、作業員次第である。よって、ファイバ抑え部５３、５４は、回線余長収容部５１の内側と外側の両側から回線余長収容部５１を広く覆うように散在して配置されている。
【００５４】
図７（Ｂ）は、シャーシ５０の裏面側の構成を示した斜視図である。図７（Ｂ）において、シャーシ５０は、インナーシャーシ固定手段５５と、位置決め手段５６と、シャーシ固定手段５７とを備える。
【００５５】
インナーシャーシ固定手段５５は、基板１０に装着されたインナーシャーシ２０を固定支持するための手段である。インナーシャーシ固定手段５５は、インナーシャーシ２０を固定できれば、種々の手段で構成されてよいが、例えば、図７（Ｂ）に示すように、ネジ固定が可能な穴開きボスとして構成されてもよい。
【００５６】
位置決め手段５６は、シャーシ５０をケース６０、８０に固定する際にシャーシ５０の位置決めを行うための手段である。位置決め手段５６は、シャーシ５０をケース６０、８０に固定できれば種々の手段で構成されてよいが、例えば、図７（Ｂ）に示すようにリブとして構成されてもよい。
【００５７】
シャーシ固定手段５７は、シャーシ５０をケース６０、８０に固定するための手段である。シャーシ固定手段５７は、シャーシ５０をケース６０、８０に固定できれば、種々の手段により実現されてよいが、例えば、図７（Ｂ）に示すように、ネジ固定が可能な穴開きボスとして構成されてもよい。
【００５８】
このように、例えばシャーシ５０は、表面側に回線用の光ファイバの余長を処理する手段、裏面側にインナーシャーシ２０及び自らをケース６０、８０に固定する手段を備えて構成される。これにより、回線用の光ファイバの余長処理を行うとともに、基板１０をケース６０、８０内に固定支持して収容することが可能となる。
【００５９】
図８は、インナーシャーシ２０がシャーシ５０の内部に固定支持された状態を示した図である。図８（Ａ）は、インナーシャーシ２０を固定支持したシャーシ５０の裏面側を示した斜視図であり、図８（Ｂ）は、インナーシャーシ２０を固定支持したシャーシ５０の表面側を示した斜視図である。
【００６０】
図８（Ａ）において、基板１０、インナーシャーシ２０及びシャーシ５０の裏面側が示されている。図８（Ａ）に示すように、シャーシ５０が基板１０に装着されたインナーシャーシを支持すると、基板１０、インナーシャーシ３０及びシャーシ５０は総て同じ方向を向き、裏面が揃った状態となる。
【００６１】
また、インナーシャーシ２０に設けられた遮光リブ２９内に収容された発光ダイオード１２は、シャーシ５０に固定支持されても、露出した状態を保てるように構成されている。
【００６２】
図８（Ｂ）において、表面側は、シャーシ５０がインナーシャーシ２０及び基板１０を覆い、シャーシ５０のみが表面に現れた状態となる。なお、インナーシャーシ２０のコネクタ保持部２６に保持されたコネクタ４０は、シャーシ５０の表面側に露出し、外部からの回線用の光ファイバと接続が可能な状態で保持される。
【００６３】
図９は、本実施例に係る光通信装置の上ケース側からの外部構成及び内部構成を示した図である。図９（Ａ）は、本実施例に係る光通信装置の上ケース側からの外部構成を示した図である。図９（Ａ）に示すように、本実施例に係る光通信装置は、上ケース６０と下ケース８０に収容された構成となっている。なお、上ケース６０には、インジケータ用のカバー６１が設けられている。
【００６４】
図９（Ｂ）は、本実施例に係る光通信装置の上ケース６０側からの内部構成を示した分解斜視図である。図９（Ｂ）に示すように、本実施例に係る光通信装置は、上ケース６０と、インジケータカバー６１と、導光部材７０と、基板１０と、インナーシャーシ２０と、シャーシ５０と、下ケース８０とを備える。なお、導光部材７０は、発光ダイオード１２から入力された光を拡散させ、ユーザが視認し易い状態で発光するインジケータである。また、カバー６１はインジケータとして機能する導光部材７０を覆う役割を果たす。
【００６５】
図９（Ｂ）において、下ケース８０上には、裏面を上方として配置されたシャーシ５０、インナーシャーシ２０及び基板１０が順次積層されて配置される。そして、基板１０の裏面を、上ケース６０が覆って収容する構成となっている。このとき、発光ダイオード１２は、導光部材７０の下方付近に来るように配置され、シャーシ５０の固定支持により、インジケータの位置決めも同時に行われるように構成されている。
【００６６】
図１０は、本実施例に係る光通信装置の下ケース側からの外部構成及び内部構成を示した図である。図１０（Ａ）は、本実施例に係る光通信装置の下ケース側からの外部構成を示した図である。図１０（Ａ）に示すように、本実施例に係る光通信装置は、上ケース６０と下ケース８０に収容された構成となっているが、下ケース８０は、光通信装置の底面部となるので、特に表示物は設けられていない。
【００６７】
図１０（Ｂ）は、本実施例に係る光通信装置の下ケース８０側からの内部構成を示した分解斜視図である。図１０（Ｂ）に示すように、本実施例に係る光通信装置は、構成要素は図９（Ｂ）の説明と同様であるので省略するが、上ケース６０上に、基板１０、インナーシャーシ２０、シャーシ５０が下から順に積層され、上面を下ケース８０が覆った構成となっている。
【００６８】
図１０（Ｂ）において、基板１０、インナーシャーシ２０及びシャーシ５０は表面側が上方にあり、ケース６０、８０内では、表裏が逆になっている。また、上ケース６０の裏面にはボス６２が設けられており、シャーシ５０と嵌合してシャーシ５０を固定支持することが可能な構成となっている。
【００６９】
このように、本実施例に係る光通信装置によれば、基板１０に装着するインナーシャーシ２０で内部接続用の光ファイバ３０の余長処理を行い、インナーシャーシ２０を固定支持するシャーシ５０で外部からの回線接続用の光ファイバの余長処理を行う２重シャーシ構造とすることにより、内部接続用の光ファイバ３０の余長を容易かつ確実に処理した状態でケース６０、８０に収容することができ、光ファイバ３０のシャーシ５０、ケース６０、８０への噛み込みを確実に防止することができる。また、インナーシャーシ２０を基板１０に装着した状態で基板１０の性能検査を行うことができるので、製造ラインでのハンドリングを容易にすることができる。
【００７０】
更に、基板１０及びインナーシャーシ２０を固定支持したシャーシ５０をケース６０に固定すれば良いので、その際にも光ファイバ３０の余長が作業を煩雑化させることが無く、容易に位置決め固定し、ケース６０、８０内への収容を行うことができる。
【００７１】
以上、本発明の好ましい実施例について詳説したが、本発明は、上述した実施例に制限されることはなく、本発明の範囲を逸脱することなく、上述した実施例に種々の変形及び置換を加えることができる。
【産業上の利用可能性】
【００７２】
本発明は、光回線終端装置等の光ファイバを用いた光通信装置に利用することができる。
【符号の説明】
【００７３】
１０    基板
１１    通信回路
１２    発光ダイオード
２０    インナーシャーシ
２１    余長収容部
２２、５２    巻回部
２３、２４、２５、５３、５４    ファイバ抑え部
２６    コネクタ保持部
２７、２８    装着手段
２９    遮光リブ
３０    光ファイバ
４０    コネクタ
５０    シャーシ
５１    回線余長収容部
５５    インナーシャーシ固定手段
５６    位置決め手段
５７    シャーシ固定手段
６０    上ケース
６１    インジケータカバー
６２    ボス
７０    導光部材
８０    下ケース
【図１】
2012198365.tif 000003
【図２】
2012198365.tif 000004
【図３】
2012198365.tif 000005
【図４】
2012198365.tif 000006
【図５】
2012198365.tif 000007
【図６】
2012198365.tif 000008
【図７】
2012198365.tif 000009
【図８】
2012198365.tif 000010
【図９】
2012198365.tif 000011
【図１０】
2012198365.tif 000012
【図１１】
2012198365.tif 000013